(57)【特許請求の範囲】
【請求項１】
歯科用咬合圧測定センサシートのセンシングポイントからの圧力値をコンピュータで解析して該圧力値をデジタル画像又はデータとしてリアルタイムで表示・記録される歯科用咬合圧測定・調整システムにおいて、
前記センサシートを常に歯牙咬合部の一定位置に配置できるよう、咬合部の、裏面又は表面、あるいは裏面及び表面に、クッションシートが剥離自在に着設されたフィルム状センサシートと、同センサシートに装着され、同センサシートの口腔内への挿入を容易にするための馬蹄形ガイド体を前部に備えたセンサシートサポートと、前記馬蹄形ガイド体の内壁部と、上顎又は下顎歯列弓前部の縁の間に押入、硬化されて、センサシートサポートの馬蹄形ガイド体の内壁部に着設される印象材からなる歯型模型とから構成された咬合圧測定センサユニットを有し、 前記センサシートを咬合した時にセンサシートからの圧力分布信号により歯牙配列の外郭を検出するようにしたことを特徴とする歯科用咬合圧測定・調整システム。
【請求項２】
前記センサシートの咬合部の表面又は裏面に、印記材を塗布又は、印記用紙を貼付して、生体歯牙又は義歯の咬合頭に印記されるようにしたことを特徴とする請求項１に記載の歯科用咬合圧測定・調整システム。
【請求項３】
センサシートの咬合部の、裏面又は表面あるいは裏面及び表面に、剥離自在に着設されるクッションシートが、歯列弓に沿って馬蹄形に形成された、弾性を有する一枚のシートあるいは、基部が硬弾性を有する薄厚のシートで該薄厚のシート上に積層された軟弾性を有する厚手のシートとからなり、前記センサシートを咬合した時、咬合頭を中心とした直近の咬合面の加圧分布の検出信号が、クッションシートの弾性によって拡大して表示されるようにしてなることを特徴とする請求項１に記載の歯科用咬合圧測定・調整システム。
【請求項４】
最初の咬合時に前記印象材により取得された歯列弓前部の歯型模型がセンササポートに固着された咬合圧測定センサユニットによって、次回以降センサシートを最初の咬合時と同一位置に挿入設定でき、次回以降の測定圧分布画像と前記歯科用咬合圧測定・調整システムのコンピュータにデジタル画像又はデータとして最初に記録された歯列の外郭画像との合成画像が、前記咬合圧測定・調整システムに備えたコンピュータによって作成され、表示器に表示可能に構成されてなることを特徴とする請求項１〜３のいずれか１項に記載歯科用咬合圧測定・調整システム。
【発明の詳細な説明】
【技術分野】
【０００１】
歯科用咬合圧測定・調整システムに係り、特に咬合圧測定時に付加して咬合圧値の解析処理を容易にしかつ、歯列咬合状態の確認及び調整が的確にできる機材を有する歯科用咬合圧測定・調整システムに関する。
【背景技術】
【０００２】
従来、歯列弓の形状を把握する手段として、ワックスや印象材が使用され、
また、咬合圧を把握する手段として、フイルム状の検体を咬合したときの圧力値による発色の度合いによりその分布状態を検知するもの、圧力により電気抵抗が変化する薄膜を印刷した樹脂フイルム状のセンサを咬合した時の全歯列の咬合圧の相対値をリアルタイムで表示するもの（特許第２９０４４９４号公報）等、個々のデータを取得する装置があった。
【特許文献１】特許第２９０４４９４号公報
【発明の開示】
【発明が解決しようとする課題】
【０００３】
しかしながら、前記の取得データは、治療に先立って具体的なシュミレーションを行うには不充分であり、実際の診断と治療は主として熟練者の経験に委ねられていた。したがって、前記のデータを取得する装置は専ら専門の研究医によって使用され、一般の歯科医には普及されていなかった。
現在臨床で行われている咬合調整では、早期接触の有無及び早期接触部位の位置決めの定量的な診査方法がないため、早期接触を咬合調整により取り除いたとしても、その改善を確認する方法がなかった。これは、咬合調整をリアルタイムに記録するシステムが、治療用器具としての機能を備えていないため、臨床に応用できないことに原因があった。
本発明では、咬合圧の相対値をリアルタイムで表示する機器に、歯列における早期接触部位の位置決めと、歯列の早期接触部位の印記を実現する咬合調整器具としての機能を付加した咬合圧測定・調整システムを提供する。
【課題を解決するための手段】
【０００４】
上記に鑑み、本発明者等は鋭意実験研究の結果、次の手段によってこの課題を解決した。
（１）歯科用咬合圧測定センサシート（以下センサシートと記す）のセンシングポイントからの圧力値をコンピュータで解析して該圧力値を色彩別にのデジタル画像並びにデータとしてリアルタイムで表示・記録される歯科用咬合圧測定・調整システムにおいて、
前記センサシートを常に歯牙咬合部の一定位置に配置できるよう、咬合部の、裏面又は表面、あるいは裏面及び表面に、クッションシートが剥離自在に着設されたフィルム状センサシートと、同センサシートが装着され、同センサシートの口腔内への挿入を容易にするための馬蹄形ガイド体を前部に備えたセンサシートサポートと、前記馬蹄形ガイド体の内壁部と、上顎又は下顎歯列弓前部の縁の間に印象材を押入、硬化させて、センサシートサポートの馬蹄形ガイド体の内壁部に着設された印象材からなる歯型模型とから構成された歯科用咬合圧測定センサユニットを有し、 前記センサシートを咬合した時にセンサシートからの圧力分布信号により歯牙配列の外郭を検出するようにしたことを特徴とする咬合圧測定・調整システム。
（２）センサシート咬合部の表面又は裏面に、印記材を塗布又は、印記用紙を貼付して、生体歯牙又は義歯の咬合頭に印記するようにしたことを特徴とする前項（１）に記載の咬合圧測定・調整システム。
【０００５】
（３）センサシートの咬合部の、裏面又は表面あるいは裏面及び表面に、剥離自在に着設されるクッションシートが、歯列弓に沿って馬蹄形に形成された、弾性を有する一枚のシートあるいは、基部が硬弾性を有する薄厚のシートで該薄厚のシート上に積層された軟弾性を有する厚手のシートとからなり、前記センサシートを咬合した時、咬合頭を中心とした直近の咬合面の加圧分布の検出信号が、クッションシートの弾性によって拡大して表示されるようにしてなることを特徴とする前項（１）に記載の咬合圧測定・調整システム。
【０００６】
（４）最初の咬合時に前記印象材により取得された歯列弓前部の歯型模型がセンササポートに固着された咬合圧測定センサユニットによって、次回以降センサシートを最初の咬合時と同一位置に挿入設定でき、前記歯科用咬合圧測定・調整システムのコンピュータにデジタル画像又はデータとして記録された歯牙配列の外郭画像との合成画像が、前記咬合圧測定・調整システムに備えたコンピュータによって作成され、表示器に表示可能に構成されてなることを特徴とする前項（１）〜（３）のいずれか１項に記載の歯科用咬合圧測定・調整システム。
【発明の効果】
【０００７】
本発明によれば次のような優れた効果を発揮することができる。
１、本発明の請求項１及び４の発明によれば、
歯科用咬合圧測定センサシート（以下センサーシートと略記する）のセンシングポイントからの圧力値をコンピュータで解析して該圧力値をデジタル画像又はデータとしてリアルタイムで表示・記録される歯科用咬合圧測定・調整システムにおいて、
前記センサシートを常に歯牙咬合部の一定位置に配置できるよう、咬合部の、裏面又は表面、あるいは裏面及び表面に、クッションシートが剥離自在に着設されたフィルム状センサシートと、同センサシートに装着され、同センサシートの口腔内への挿入を容易にするための馬蹄形ガイド体を前部に備えたセンサシートサポートと、前記馬蹄形ガイド体の内壁部と、上顎又は下顎歯列弓前部の縁の間に押入、硬化されて、センサシートサポートの馬蹄形ガイド体の内壁部に着設される印象材からなる歯型模型とから構成された咬合圧測定センサユニットを有し、前記センサシートを咬合した時にセンサシートからの圧力分布信号により歯牙配列の外郭を検出するようにしているため、クッションシートを着設したセンサシートを用いて最初の咬合時に前記歯科用咬合圧測定・調整システムによって得た歯牙配列の外郭画像の輪郭線、あるいは淡色の塗りつぶし画像による歯牙配列の外郭画像を表示器に表示し、メモリに記録しておくことができる、
また、最初の咬合時に前記印象材により取得された歯列弓前部の歯型模型がセンササポートに固着された咬合圧測定センサユニットによって、次回以降センサシートを最初の咬合時と同一位置に挿入設定でき、次回以降の測定圧分布画像と前記歯科用咬合圧測定・調整システムのコンピュータにデジタル画像又はデータとして最初に記録された歯列の外郭画像との合成画像が、前記咬合圧測定・調整システムに備えたコンピュータによって作成され、表示器に表示可能に構成されてなるため、前記センサシートを口腔外に取り出し、前記のクッションシートを剥離して、基本的なセンサシートに戻した後、前記歯型模型を歯列に合わせてセンサシートを再度挿入し、被験者にクレンチング及びタッピング運動を行わせて、リアルタイムの咬合接触像（咬合頭の咬合圧の測定記録）を記録すれば、該記録は、前記歯科用咬合圧測定・調整システムのコンピュータによって歯列咬合頭の色彩別咬合圧画像に処理されてメモリに記憶されるので、最初の咬合時にメモリに記録された前記歯牙配置の外郭画像と合成することができ、施術者は、該合成画像により、歯牙配列の外郭部位内におけるリアルタイムの歯列咬合頭圧の分布を把握することができ、咬合接触の評価に活用することができる。
【０００８】
２、本発明の請求項２の発明によれば、
請求項１に加えて、センサシート咬合部の表面又は裏面に、印記材を塗布又は、印記用紙を貼付して、生体歯牙又は義歯の咬合頭に印記する手段を備えてなり、
前記歯列咬合圧計測と同時に、センサシートの表面に塗布又は貼付された印記材により、生体歯牙又は義歯の咬合頭に印記されるため、
施術者は生体歯牙又は義歯の特定咬合頭部位の切削等の作業を繰り返す際も、両者を比較確認しつつ的確に実施することができる。
【０００９】
３、請求項３の発明によれば、
センサシートの咬合部の、裏面又は表面あるいは裏面及び表面に、剥離自在に着設されるクッションシートが、歯列弓に沿って馬蹄形に形成された、弾性を有する一枚のシートあるいは、基部が硬弾性を有する薄厚のシートで該薄厚のシート上に積層された軟弾性を有する厚手のシートとからなり、前記センサシートを咬合した時、咬合頭を中心とした直近の咬合面の加圧分布の検出信号が、クッションシートの弾性によって拡大して表示されるようにしているため、最初の咬合時に加圧分布の咬合画像から歯牙配列の外郭を検出し、外殻画像を表示、記録することができる。
【００１０】
以上のことから、全部床義歯装着者については、
［１］前記表示器の表示及び印記した義歯の人工歯咬合面から早期接触部を確認する。
［２］早期接触部位を前記人工歯牙の特定咬合頭部位の切削、研磨等により、咬合調整を行う。
［３］咬合調整を行った後に前記咬合接触像の記録を行う。
［４］調整後の記録から、Δ面積の減少、干渉時間比（１回のタッピングで咬合圧波形が記録される時間に対するピーク発現の時間の割合）の減少が認められ、標準範囲内であれば調整終了の目安にする。
［５］また、表示される咬合圧の重心の位置ＣＯＦ（Ｃｅｎｔｅｒ ｏｆ ｆｏｒｃｅ）により、咬合のバランスが評価できる。
さらに、全顎補綴処置者についても左右及び側方運動時のバランス調整を行うことができる。
【００１１】
部分補綴処置者（単冠装着時）については、
［１］単冠装着前にクレンチング、タッピング及び側方運動の咬合接触記録を行う。
［２］隣接面のコンタクト調整が終了した段階で、咬合接触記録を行う。
［３］早期接触を確認し、前記歯牙の特定咬合頭部位の切削、研磨等の作業により、咬合調整を行う。
［４］調整後の記録から、Δ面積、Ｏｃｃｌｕｓａｌ Ｃｏｎｔａｃｔ ｔｉｍｅ、干渉時間比、の増加が認められなければ調整終了の目安にすることができる。
【発明を実施するための最良の形態】
【００１２】
以下発明の実施の形態を図面に基づき説明する。
図１は本発明の歯科用咬合圧測定・調整システムの構成図である。
図において、１は歯科用咬合圧測定・調整システム、２はセンサシート、３はセンサコネクタ、４はパラレルインターフェイスモジュール、５は電源アダプタ、６はコンピュータ、７は表示器、８はプリンタ、９はセンササポート、１０は印象材チューブ、１０’は印象材、１１は歯型模型、１２、１２’はクッションシート、
１５は歯列、１５’は被験者、１６はセンサシート基部着脱方向、１７はセンササポート着脱方向、１８はセンサシート咬合部挿入方向、１９、１９’はクッションシート着設方向、２０、２０’はクッションシート剥離方向、２１は信号コード、３９は矢印部を示す。
【００１３】
本発明の歯科用咬合圧測定・調整システムは、
歯列１５の加圧力に応じて電気抵抗が変化する薄膜の表面及び裏面にそれぞれ一定間隔でＸ方向電極とＹ方向電極とがマトリクス状に配設され、その交点を個々の圧力検出点とし、、全体をフイルム状シートに形成したセンサシート２と、
上記センサシート２の基部を挿入接続し、把持して被験者１５’の口腔内に挿入し、前記センサシート２の各圧力検出点の電気抵抗をデジタル信号に変換してパラレルインターフェイスモジュール４に送信するセンサコネクタ３と、
該送信信号を処理しパラレルポートに送信するパラレルインターフェイスモジュール４と、該パラレルインターフェイスモジュール４に接続される電源アダプタ５と、咬合圧を解析表示するコンピュータ６と、表示器７と、ハードコピー用プリンタ８並びに、前記センサコネクタ３は、前記センサシート２のガイド兼口腔内挿入を容易にしかつ、挿入後センサシート２を平らな状態に保持する馬蹄形のセンササポート９を、着脱自在に備え、また、前記センサシート２の各圧力検出点からの圧力値が、色彩別のデジタル画像（後記）並びにデータとしてリアルタイムで表示・記録される歯科用咬合圧測定・調整システム１において、
測定前に、前記センサシート２の咬合部の裏面又は表面にクッションシート１２、１２’をクッション着設方向１９’、１９のように着設し、センサシート基部着脱方向１６のように、センササポート９に挿入する。該センササポート９はセンサコネクタ３に挿入されているものとする。
この状態で、施術者は前記センサコネクタ３を把持し、センササポート９の
矢印部３９を、被験者１５’の上顎歯列１５の前面センター（中央の隙間）に合わせて、センサシート２の前記クッションシート１２が着設されている咬合部を前記センササポート９が前歯に当接するまで挿入する。
この時被験者１５’は軽く咬合した状態とする。
そして、前記挿入後、図示したように前記センササポート９の馬蹄形に当接した上顎歯列弓の縁に沿って、印象材１０’を印象材チューブ１０より搾り出して着設し、硬化させると、前記センササポート９に固着された歯型模型１１が得られる。
したがって、次回挿入時には上記歯型模型１１を歯列に合わせればセンサシート２を常に一定位置に挿入設置することができる。
【００１４】
次に、歯牙配列１５の外郭画像を得るため、前記軽く咬合している被験者１５’に強く咬合させる。この際前記クッションシート１２、１２’のシートの緩衝作用により、咬合頭を中心とした直近の咬合面の加圧分布の検出信号は、拡大して表示されるため、最初の咬合時、加圧分布の咬合画像から歯列弓の外郭を検出することができる（後記）。
以上の、位置決め及び歯列弓の外郭画像の取得の次に、咬合頭の圧力分布の取得を行う。
【００１５】
前記咬合頭の圧力分布の取得は、上記の状態で一旦センサシートを口腔外に取り出し、前記のクッションシート１２、１２’をクッションシート剥離方向２０、２０’のように剥離して基本的なセンサシート２に戻し、前記取得した歯型模型１１に合わせてセンサシート２を挿入設置し、
被験者１５’にクレンチング及びタッピング運動を行わせて、リアルタイムの咬合接触像を記録する（後記）。
上記咬合頭の咬合圧の測定記録は、前記センサコネクタ３、パラレルインターフェイスモジュール４、電源アダプタ５、コンピュータ６、表示器７、プリンタ８等からなる咬合圧測定・調整システム１において、各歯列咬合頭の色彩別咬合圧画像を表示器７に表示及びメモリに記憶される。
そして、前記記憶されている歯列弓の外郭画像との合成画像を作製表示する（後記）が、この際の画像合成作業は、前記歯型模型１１による位置決めにより、歯牙配列の外郭画像と、咬合頭の咬合圧画像との位置関係が一致しているので容易である。 以上のようにして、咬合接触像の記録が行われる。
そして、施術者が前記合成画像により、歯列配置の外郭部位内におけるリアルタイムの歯列咬合頭圧の分布を把握することにより、咬合接触の評価を活用する咬合圧測定・調整システム１を構成し提供している。
【００１６】
図２は基本的なセンサシートの構造図で、（イ）は正面図、（ロ）は背面図である。
図３はクッションシートを付加したセンサシートの構造図で、（イ）は正面図、（ロ）は背面図、（ハ）は右側面図である。
図において、２’はクッションシートを付加したセンサシート、３５はＹ方向電極、３６はＹ電極コネクタ、３７はＸ方向電極、３８はＸ電極コネクタを示す。
前記センサーシート２は、例えば、、加圧力に応じて電気抵抗が変化する圧力感知抵抗型インクをプリントした薄膜の表裏にＹ方向電極３５及びＸ方向電極３７をフレキシブルプリント回路方法で、導電インクを直接プリントして作られたものであってよい。
また、クッションシートは、例えば弾力性のあるシリコンゴムの薄板等が好ましく、その片面に、前記センサシート２の表面に付着させるために粘着性のある軟性組成物を混入又は塗布し、他の片面には、歯列の咬合面に当接するため、粘着性のない硬性組成物を混入又は塗布することが望ましい。
【００１７】
図４は基本的なセンササポートの構成図で、（イ）は正面図、（ロ）は右側面図、（ハ）は下面図である。
図５は歯型模型１１を付加したセンササポートの構成図で、（イ）は正面図、（ロ）は右側面図、（ハ）は下面図である。
図において、４０はセンサコネクタへの挿入ガイドバー、４１はセンサシート挿入及び口腔内挿入ガイド、４２はセンサシートの挿入溝を示す。
歯型模型１１は、図示したように前記センササポート９の馬蹄形に当接した上顎歯列弓の縁に沿って、印象材１０’を印象材チューブ１０より搾り出して着設し、硬化させ、前記センササポート９に固着された歯型模型１１として取得できる。
【００１８】
図６は、本歯科用咬合圧測定・調整システム１のブロック図である。
図において、２２は操作順序の切り替えスイッチ、２３は歯列弓の外郭画像、２４は歯列弓咬合頭の圧力分布画像、２５は時系列歯列弓咬合頭の圧力分布画像、２６は歯列弓の外郭画像と咬合頭の圧力分布画像との合成画像、２７は歯列弓の外郭画像と時系列咬合頭の圧力分布画像との合成画像、２８はメモリ、３１、３２は時系列測定用の咬合、３３、３４は時系列の合成画像、ａ・ｂ・ｃ・ｄ・ｅは操作順序を示す。
【００１９】
最初に、操作順序の切り替えスイッチ２２を操作順序ａにし、歯列１５の配列（歯列弓の外郭画像２３）を得るため、前記軽く咬合している被検者１５’に強く咬合させる。この際前記クッションシート１２、１２’のシートの緩衝作用により、主咬合頭を中心とした直近の咬合頭の加圧分布の検出信号は拡大され、前記パラレルインターフェイスモジュール４経由コンピュータ６によって歯列弓外郭画像２３が得られる。
該歯列弓外郭画像２３は、表示器７に所定の大きさに表示され、かつメモリ２８に記憶蓄積される。
【００２０】
次に、操作順序の切り替えスイッチ２２を操作順序ｂにし、咬合頭の圧力分布画像２４の取得を行う。
前記咬合頭の圧力分布画像２４の取得は、上記歯列弓の外郭画像２３を取得した状態で一旦センサシートを口腔外に取り出し、前記のクッションシート１２、１２’を剥離して基本的なセンサシート２に戻し、
前記センササポート９に固着された歯型模型１１を歯牙配列に合わせてセンサシート２を被験者１５’の口腔内に挿入設置した後、
被験者１５’に約１５秒間の咬みしめによるクレンチング及び、タッピング運動を行わせて、前記と同様にパラレルインターフェイスモジュール４経由コンピュータ６によって、リアルタイムの歯列弓咬合頭の圧力分布画像２４を取得する。
また、有歯額者では、これらに加えて側方運動も行う。その際、開口量、開口速度は任意とするが、咬みしめはできるだけ強く行う。
なお、側方運動及び咬合頭嵌合位でのクレンチングは、１回の咬しめで記録を行い、タッピングは連続して行う。
前記歯列弓咬合頭の圧力分布画像２４は、表示器７に所定の大きさに表示され、かつメモリ２８に記憶蓄積される。
【００２１】
そして、前記メモリ２８に記憶されている歯列弓の外郭画像２３との合成画像２６を前記コンピュータ６により作製、表示する。
この際の画像合成作業は、前記歯型模型１１による位置決め（図１、図５）によって、歯列弓の外郭画像２３と歯列弓咬合頭の圧力分布画像２４とは、相互の位置関係が一致しているので容易に精度よく行うことができる。
【００２２】
そして、さらに操作順序の切り替えスイッチ２２を操作順序ｃにし、
前記と同様な手段により前記歯列弓の外郭画像２３と歯列弓咬合頭の圧力分布画像２５との合成画像２７を作製、表示する。
上記合成画像２６あるいは合成画像２７等における時系列歯列弓咬合頭の圧力分布画像２４あるいは２５において、
また、操作順序の切り替えスイッチ２２を操作順序ｄ、ｅにし、
合成画像上に時系列歯列弓咬合頭の圧力分布画像３３あるいは３４のリアルタイム画像を取得することにより、
前記被検者１５’にクレンチング及びタッピング運動を行わせる際の咬合加圧の条件即ち、初期に接触する咬合頭の咬合圧から、強く咬みしめた時に至るまでの間においてのリアルタイムの変化画像を、施術者は順次メモリ表示しあるいは、プリンタ８によりハードコピーとして取得することにより、咬合接触の評価への活用を図ることができる。
【００２３】
図７は歯科用咬合圧測定・調整システムの他の構成を示す構成図である。
咬合圧測定・調整システム構成図２は、前述した 咬合圧測定・調整システム構成図１にセンサシート咬合部の表面（表又は裏）に、咬合紙を貼付又は印記材を塗布して、生体歯牙の咬合頭に印記する手段を付加したものである。
図７において、２”はクッションシートを剥離した跡に咬合紙を貼付又は印記材を塗布した仮想センサシート、１３、１３’は咬合紙、１４は塗布容器、１４’は印記材、２１，２２は貼付又は塗布方向を示す。
作業は、前記歯型模型１１取得後、センサシート２に着設されているクッションシート１２、１２’をクッションシート２の剥離方向２０、２０’のように 剥離し、その跡に咬合紙１３、１３’を貼付又は、塗布容器１４内の印記材１４’を塗布して行う。
なお、点線のセンサシート２”は仮想センサシートを示し、基本的にはセンサシート２と本体及び、前記センサコネクタ３に挿入されている位置は同一である。
そして、前記歯列弓の咬合圧計測と同時に、前記センサシート２の表・裏面に貼付された咬合紙１３、１３’又は塗布された印記材１４’により、生体歯牙の咬合頭は印記される（後記）。
したがって、生体歯牙又は義歯における咬合頭部の位置が明確になり、診断に続いて調整のため生体歯牙又は義歯の特定咬合頭部位の切削、研磨等の作業を繰り返す際も、両者を確認しつつ的確に実施することができる。
【００２４】
図８は基本的なセンサシート図で、（イ）は正面図、（ロ）は背面図である。
図９は咬合紙又は印記材の塗布を付加した図で、（イ）は正面図、（ロ）は背面図、（ハ）は右側面図である。
図において、２”は咬合紙又は印記材の塗布を付加した仮想センサシートを示す。咬合紙１３、１３’は歯科用のもので、その片面は前記フィルム状のセンサシート２に着設又は剥離できるように粘着性を有することが望ましい。
また、色彩は例えば黒、赤、緑、青等でよく、咬合頭部位の切削、研磨等の作業を繰り返し前回の印記が消去されてしまった場合は、剥離して色彩の異なった咬合紙を貼付してもよい。
上記、咬合紙１３、１３’の代わりに印記材１４’を塗布する場合も同様である。
また、印記材は例えば、食材用色素、化粧用色素等をマイクロカプセル化した発色剤を使用したもの等が好ましい。
【００２５】
図１０は、本歯科用咬合圧測定・調整システム２のブロック図である。
図において、２９は初回咬合時の歯列弓生体歯牙又は義歯咬合頭の印記像、３０は次回切削作業後の咬合時の歯列弓生体歯牙又は義歯咬合頭の印記像、４３、４４は同上時系列の合成画像及び順次咬合時の歯列弓生体歯牙咬合頭の印記取得工程を示す。
操作順序の切り替えスイッチ２２は、操作ｂ、ｃ、ｄ、ｅのようにするが、操作順序の切り替え２２を操作順序ｂにし、歯列弓の外郭画像と咬合頭の圧力分布画像との合成画像２６の取得を行う。
この時同時に前記、初回咬合時の歯列弓生体歯牙又は義歯咬合頭の印記像２９が得られ対比することができる。
次に、前記印記された咬合頭を切削し、切り替えスイッチ２２を操作順序ｃとし、
前記歯列弓の外郭画像と咬合頭の圧力分布画像との合成画像２７を取得を行う。この時同時に次回咬合時の歯列弓生体歯牙又は義歯咬合頭の印記像３０が得られ対比することができる。
そして、診断に引続いて生体歯牙又は義歯の特定咬合頭部位の切削、研磨等の作業を繰り返す場合、前記同様に以下操作順序ｄ〜ｅに切り替えて両者を比較検討しながら咬合調整を的確に実施することができる。
【００２６】
また、全部床義歯装着者については、前記の印記材１４’による咬合接触記録から早期接触が確認された場合、
［１］前記印記材１４’を表面に吹き付けたセンサシート２’又は、咬合紙１３を貼付したセンサシート２’において、歯牙に印記したために色が抜けている部位と、前記表示器７の表示及び印記した義歯の人工歯咬合面から早期接触部を確認する。
この際、印記が明瞭でない場合は、再度咬みしめを行う。
［２］早期接触部位を前記人工歯牙の特定咬合頭部位の切削、研磨等の作業により、咬合調整を行う。
［３］咬合調整を行った後に前記咬合接触像の記録を行う。
［４］調整後の記録から、Δ面積の減少、干渉時間比の減少が認められ、標準範囲内であれば調整終了の目安にする。
［５］また、表示される咬合圧の重心の位置ＣＯＦにより咬合のバランスが評価できる。
さらに、全顎補綴処置者についても左右及び側方運動時のバランス調整を行うことができる。
【００２７】
部分補綴処置者（単冠装着時）については、
［１］単冠装着前にクレンチング、タッピング及び側方運動の咬合接触記録を行う。
［２］隣接面のコンタクト調整が終了した段階で、咬合接触記録を行う。
［３］早期接触を確認し、前記歯牙の特定咬合頭部位の切削、研磨等の作業により、咬合調整を行う。
［４］調整後の記録から、Δ面積、Ｏｃｃｌｕｓａｌ Ｃｏｎｔａｃｔ ｔｉｍｅ、干渉時間比、の増加が認められなければ調整終了の目安にする。
【図面の簡単な説明】
【００２８】
【図１】本発明の歯科用咬合圧測定・調整システムの構成図
【図２】基本的なセンサシートの構成図
【図３】クッションシートを付加したセンサシートの構成図
【図４】基本的なセンササポート図
【図５】歯型模型を付加した図
【図６】本発明の歯科用咬合圧測定・調整システムのブロック図
【図７】咬合圧測定・調整システムの他の構成図
【図８】基本的なセンサシートの構成図
【図９】咬合紙又は印記材の塗布を付加したセンサシートの図
【図１０】本発明の歯科用咬合圧測定・調整システムの他のブロック図
【符号の説明】
【００２９】
１：歯科用咬合圧測定・調整システム                    ｈ
２：センサシート
２’：クッションシートを付加したセンサシート
２”：クッションシートを剥離した跡に咬合紙を貼付又は印記材を塗布した仮想センサシート
３：センサコネクタ
４：パラレルインターフェイスモジュール
５：電源アダプタ
６：コンピュータ
７：表示器
８：プリンタ
９：センササポート
１０：印象材チューブ
１０’：印象材
１１：歯型模型
１２、１２’：クッションシート
１３、１３’：咬合紙
１４：塗布容器
１４’は印記材
１５：歯列
１５’：被験者
１６：センサシート基部着脱方向
１７：センササポート着脱方向
１８：センサシート咬合部挿入方向
１９、１９’：クッションシート着設方向
２０、２０’：クッションシート剥離方向
２１：信号コード
２２：操作順序の切り替えスイッチ
２３：歯列弓の外郭画像
２４：歯列弓咬合頭の圧力分布画像
２５：時系列歯列弓咬合頭の圧力分布画像
２６：歯列弓の外郭画像と咬合頭の圧力分布画像との合成画像
２７：歯列弓の外郭画像と時系列咬合頭の圧力分布画像との合成画像
２８：メモリ
２９：初回咬合時の歯列弓生体歯牙又は義歯咬合頭の印記像
３０：次回切削作業後の咬合時の歯列弓生体歯牙又は義歯咬合頭の印記像
３１、３２：同上時系列測定用の咬合
３３、３４：同上時系列の合成画像
３５：Ｙ方向電極
３６：Ｙ電極コネクタ
３７：Ｘ方向電極
３８：Ｘ電極コネクタ
３９：矢印部
４０：センサコネクタへの挿入ガイドバー
４１：センサシート挿入及び口腔内挿入ガイド
４２：センサシートの挿入溝
４３、４４：同上時系列の合成画像及び順次咬合時の歯列弓生体歯牙又は義歯咬合頭の印記取得工程
ａ・ｂ・ｃ・ｄ・ｅ：操作順序
【図１】
0004243843.tif 000002
【図２】
0004243843.tif 000003
【図３】
0004243843.tif 000004
【図４】
0004243843.tif 000005
【図５】
0004243843.tif 000006
【図６】
0004243843.tif 000007
【図７】
0004243843.tif 000008
【図８】
0004243843.tif 000009
【図９】
0004243843.tif 000010
【図１０】
0004243843.tif 000011